(57)【要約】  上部封止体（１２）、下部封止体（１４）、および滑動体（１６）を備えた、封止体を形成する装置であって、上部および下部封止体の合せ面（２０、２２）が係止する装置。滑動体（１６）に属する引上げリブ（４６）が上部封止体（１２）に属する引上げ翼（２４）と協働し、閉鎖かんぬき（４８）が下部封止体（１４）に属する閉鎖かんぬき溝（３２）と協働する。滑動体（１６）を一方向に移動させることによって、引上げリブ（４６）が上部封止体を下部封止体との係止関係から引上げる。滑動体（１６）を逆方向に移動させることによって封止体が係止される。上部および下部封止体と、協働する滑動体および栓体（１０４）とを備えた封止装置を更に開示する。滑動体および栓体のそれぞれが２つの封止体の第１および第２の合せ面と協働する。更に、滑動体および栓体は、協働して滑動体と栓体とを係止する外部さねつぎおよび溝部（１１６、１１４）を備えている。
2005514077.tif 000002
【特許請求の範囲】
【請求項１】
封止体を形成する装置であって、
（ａ）第１の合せ面と引上げ翼とを有する上部封止部材、
（ｂ）第２の合せ面と閉鎖かんぬき溝とを有する下部封止部材であって、前記第２の合せ面が前記第１の合せ面と係止する下部封止部材、及び
（ｃ）（ｉ）滑動可能な態様で前記上部封止部材の前記引上げ翼と協働する引上げリブ、
（ｉｉ）滑動可能な態様で前記下部封止部材の前記閉鎖かんぬき溝と協働する閉鎖かんぬき、及び
（ｉｉｉ）前記引上げリブが前記閉鎖かんぬきと閉鎖して近接する閉鎖端部と、前記引上げリブが前記閉鎖かんぬきと開放して近接する開放端部とを有する本体、
を有する滑動体、
を備えており、
前記上部封止部材及び前記下部封止部材を前記滑動体内において前記開放端部から前記閉鎖端部へ通過させる方向に、前記滑動体を移動させた際に、前記滑動体が前記第１の合せ面を閉じ込めて前記第２の合せ面と接触させることにより封止体を形成する装置。
【請求項２】
前記上部封止部材が第１及び第２の引上げ翼を備えており、前記滑動体が、滑動可能な態様で前記第１の引上げ翼と協働する第１の引上げリブと、滑動可能な態様で前記第２の引上げ翼と協働する第２の引上げリブとを備えている請求項１に記載の装置。
【請求項３】
前記上部及び下部封止部材の少なくとも１つが、堅固化用挿入体を備えている請求項１に記載の装置。
【請求項４】
前記上部及び下部封止部材がそれぞれ上部側部表面を備えており、前記上部及び下部封止部材の上部側部表面がほぼ同じ高さにある請求項１に記載の装置。
【請求項５】
前記下部封止部材が、係止する第１及び第２の合せ面を支える封止部材リブを備えている請求項１に記載の装置。
【請求項６】
前記第１及び第２の合せ面がそれぞれ輪郭を備えており、前記輪郭が同じである請求項１に記載の装置。
【請求項７】
前記滑動体の前記本体が、前記上部及び下部封止部材の少なくとも１つに接触する位置にある部分的に円筒形の形状を備えている請求項１に記載の装置。
【請求項８】
前記引上げリブが滑動体の全長に渡って延在していない請求項１に記載の装置。
【請求項９】
前記封止体が、気密性及び防水性の内から選ばれた特徴を備えている請求項１に記載の装置。
【請求項１０】
前記上部封止部材、前記下部封止部材、及び前記滑動体が非金属である請求項１に記載の装置。
【請求項１１】
前記上部及び下部封止部材がそれぞれ、開始部、中間部、及び終了部を備えており、前記上部封止部材上の前記引上げ翼が前記中間部上にあって前記開始部及び終了部上にはない請求項１に記載の装置。
【請求項１２】
前記滑動体が、更に、引き手、ピン、及び引き手軌道を備えている請求項１に記載の装置。
【請求項１３】
前記上部及び下部封止部材の各々は隣接する材料表面に取付けられており、前記隣接する材料表面が第１の平面を実質的に画定しており、前記係止された第１及び第２の合せ面が第２の平面を実質的に画定しており、前記第１及び第２の平面が実質的に平行である請求項１に記載の装置。
【請求項１４】
請求項１に記載の装置を備えた製品であって、危険物質防護服、消防服、乾式潜水服、防湿袋、露営寝袋、防水ズボン、宇宙服、テント、梱包、家庭用品保存袋、地図ケース、図面ケース、カヤック外張り、リュックサックカバー、コンピュータケース、電子機器ケース、水上輸送コンテナ、空気膨張式容器、浮揚袋、浮揚器具、防水ポケット、釣り用ベストのポケット、防臭ポケット、ウェットスーツ（湿式潜水服）、上着、寝袋、雨具、長靴、カヤック覆い、防風用上着、及び防風用毛織物の内から選択された製品。
【請求項１５】
物体の第１の表面の第１の縁部をこの物体の第２の表面の第２の縁部で封止する装置であって、第１の縁部が第２の縁部に実質的に平行に配置されており、第１及び第２の表面が実質的に同一平面にあり、第１の表面が第２の表面と対向する方向に延在しており、この装置が、
（ａ）第１の縁部に取付けられた上部封止部材であって、第１の合せ面を有する前記上部封止部材、
（ｂ）第２の縁部に取付けられた下部封止部材であって、前記下部封止部材が第２の合せ面を有しており、前記第２の合せ面は、解放可能な態様で前記第１の合せ面と係止可能である前記下部封止部材、
（ｃ）（ｉ）開放端部と閉鎖端部とを有する本体であって、前記閉鎖端部が、前記上部封止部材の前記第１の合せ面を前記下部封止部材の前記第２の合せ面と係止接触状態に置く閉じ込め部を有する本体、
（ｉｉ）前記上部封止部材の第１の合せ面と協働し、前記下部封止部材の前記第２の合せ面と協働する滑動体内部構造体、及び
（ｉｉｉ）外部さねつぎ及び溝部、
を有する滑動体、及び
（ｄ）（ｉ）前記上部封止部材の第１の合せ面と協働し、前記下部封止部材の前記第２の合せ面と協働する栓体内部構造体であって、閉鎖位置にあっては前記滑動体内部構造体と係止する前記栓体内部構造体、及び
（ｉｉ）閉鎖位置にあっては前記滑動体のさねつぎ及び溝部と係止する外部さねつぎ及び溝部、
を有する栓体、
を備えており、
前記上部封止部材及び前記下部封止部材を前記滑動体内において前記開放端部から前記閉鎖端部へ通過させる方向に前記滑動体を移動させた際に、前記滑動体が前記第１の合せ面を閉じ込めて前記第２の合せ面と接触させることにより封止体を形成する装置。
【請求項１６】
前記上部及び下部封止部材の少なくとも１つが、堅固化用挿入体を備えている請求項１５に記載の装置。
【請求項１７】
前記上部及び下部封止部材がそれぞれ上部側部表面を備えており、前記上部及び下部封止部材の上部側部表面がほぼ同じ高さにある請求項１５に記載の装置。
【請求項１８】
前記第１及び第２の合せ面がそれぞれ輪郭を備えており、前記輪郭が同じである請求項１５に記載の装置。
【請求項１９】
前記封止体が、気密性及び防水性の内から選ばれた特徴を備えている請求項１５に記載の装置。
【請求項２０】
前記上部封止部材、前記下部封止部材、前記滑動体、及び栓体が非金属である請求項１５に記載の装置。
【請求項２１】
前記滑動体が、更に、引き手、ピン、及び引き手軌道を備えている請求項１５に記載の装置。
【請求項２２】
前記上部及び下部封止部材の各々は隣接する材料表面に取付けられており、前記隣接する材料表面が第１の平面を実質的に画定しており、前記係止された第１及び第２の合せ面が第２の平面を実質的に画定しており、前記第１及び第２の平面が実質的に平行である請求項１５に記載の装置。
【請求項２３】
請求項１５に記載の装置を備えた製品であって、危険物質防護服、消防服、乾式潜水服、防湿袋、露営寝袋、防水ズボン、宇宙服、テント、梱包、家庭用品保存袋、地図ケース、図面ケース、カヤック外張り、リュックサックカバー、コンピュータケース、電子機器ケース、水上輸送コンテナ、空気膨張式容器、浮揚袋、浮揚器具、防水ポケット、釣り用ベストのポケット、防臭ポケット、ウェットスーツ（湿式潜水服）、上着、寝袋、雨具、長靴、カヤック覆い、防風用上着、及び防風用毛織物の内から選択された製品。
【請求項２４】
部分的組合せとして、滑動体と組合せて使用される封止体であって、
（ａ）第１の合せ面と引上げ翼とを有する上部封止部材であって、前記第１の合せ面と前記引上げ翼とが前記上部封止部材上で物理的に分離されている上部封止部材、及び
（ｂ）前記第１の合せ面と係止する形状を備えた第２の合せ面と閉鎖かんぬき溝とを有する下部封止部材であって、前記第２の合せ面と前記閉鎖かんぬき溝とが前記上部封止部材上で物理的に分離されている下部封止部材、
を備えており、
前記第１及び第２の合せ面が係止することにより、前記物理的に分離されている引上げ翼が滑動体引上げリブとの相互作用のための接近を可能とし、前記閉鎖かんぬき溝が滑動体閉鎖かんぬきとの相互作用のための接近を可能とする封止体。
【発明の詳細な説明】
【技術分野】
【０００１】
本発明は、布地又はその他の材料の間に封止体を形成することが可能な装置に関する。
【背景技術】
【０００２】
留め装置（fastening device）は、典型的には、部材に沿って滑動部を移動することによって係止及び分離が強制される歯部を有する２つの可撓性の細長い部材を備えている。このような留め装置は、衣服や鞄などの様々な物品を閉じたり開けたりするために長期間にわたり使用されてきたが、このような装置は留め装置内に液体や気体を通すので、防風、気密、及び／又は防水の物品が求められる状況では有用でなかった。
【０００３】
流体を通さない留め装置も利用できるが、このような留め装置は、通常、留め装置の端部では流体耐密でない。更に、別の装置は、互いに離れて延びることを妨げるように互いに隣接して配置された複数の封止部材が設けられている。更に別の装置は、高価であったり、重かったり、及び／又は、防風性及び／又は防水性の封止体を形成するために留め装置を覆う被覆材を使用することが必要であったりする。
【特許文献１】米国特許第５，９９１，９８０号
【発明の開示】
【課題を解決するための手段】
【０００４】
本発明の特徴は、装置の滑動部を常に閉包体の外部に保持しつつ、材料の２つの対向面を有する物体に封止体を設ける機能である。
【０００５】
第１の実施例では、封止装置が（１）上部封止部材、（２）下部封止部材、及び（３）滑動体という３つの主要構成要素を備えている。滑動体は、少なくとも１つの引上げリブと、閉鎖かんぬき（closure bar）とを備えている。使用時には、この滑動体が封止体の長さに渡って前後に移動し、上部封止部材を下部封止部材に係止することによって封止体を形成する。より詳しくは、滑動体本体が、滑動体が閉鎖方向に移動した際に上部封止部材を下部封止部材内に押圧する閉じ込め部を備えている。封止体を開放する際には、滑動体内の引上げリブが、閉鎖かんぬきによって滑動体の底部に固定されている下部封止部材から上部封止部材を引離す。
【０００６】
第１の実施例の変形例では、滑動体の開放部内に１つの引上げリブを備えているだけの滑動体が設けられている。滑動体の閉鎖部は、下部封止部材を固定する閉鎖かんぬきを備えており、滑動体本体が上部封止部材を下部封止部材内に押圧して封止体を閉鎖することを可能にしている。この閉鎖部は、傾いていて、上部封止部材が下部封止部材に進入する際に上部封止部材を若干回動させることにより封止品質を向上させる傾斜部を備えていても良い。この変形実施例の開放部は、引上げ翼の下にある上部封止部材を引上げることにより上部封止部材を下部封止部材から分離させる１つの引上げリブを備えていることが好ましい。この下部封止部材からの分離は、好ましくは滑動体の長さに渡って延在している閉鎖かんぬきによって下部封止部材が滑動体の底部に固定されていることによって起る。１つの引上げリブを有するものを使用する際には、下部封止部材から出る際に開放部が上部封止部材を若干回動させることにより滑動体の移動をより容易にし、封止品質を長持ちさせる。
【０００７】
第２の実施例では、防水封止装置が（１）上部封止部材、（２）下部封止部材、（３）滑動体、及び（４）栓体という４つの主要構成要素を備えている。本実施例の上部封止部材は引上げ翼を必要としない。更に、下部封止部材は閉鎖かんぬき溝を必要としない。本実施例の滑動体は、上部封止部材及び下部封止部材の封止面を嵌合させてこれと協働する内部構造体を備えている。更に、滑動体の内部構造体の形状は漏斗に類似している。滑動体が封止体の長さに沿って通過する際には、滑動体がその閉鎖端部で封止体を閉じ込めて封止体を形成する。つまり、上部封止部材と下部封止部材とが漏斗状に組合される。開放方向に使用した場合には逆のことが起こり、封止体の内部構造体が上部封止部材を下部封止部材から分離する。
【０００８】
第２の実施例では、栓体を用いて封止体の末端部に防水封止体が形成される。この栓体は取り外せないように封止体の端部に取付けられる。更に、栓体は、上部封止部材及び下部封止部材の合せ面と嵌合する内部構造体を備えている。更に、栓体のこの構造体は、滑動体が滑動体との閉鎖位置に移動した際に滑動体と嵌合する。したがって、滑動体が栓体との閉鎖位置に移動した際には、上部封止部材及び下部封止部材の合せ面が、滑動体及び栓体の両方の内部構造体の周囲に封止体を形成する。
【発明を実施するための最良の形態】
【０００９】
《実施の形態１》
本発明の一実施例は封止体を形成する装置である。この封止装置は、上部封止部材、下部封止部材、及び滑動体を備えている。上部封止部材は第１の合せ面と引上げ翼とを備えている。下部封止部材は、第２の合せ面と閉鎖かんぬき溝とを備えている。第１及び第２の合せ面が係止して封止体を形成する。滑動体は、滑動可能な態様で上部封止部材の引上げ翼と協働する引上げリブと、滑動可能な態様で下部封止部材の閉鎖かんぬき溝と協働する閉鎖かんぬきとを備えている。滑動体は、また、引上げリブが閉鎖かんぬきと閉鎖して近接する閉鎖端部と、引上げリブが閉鎖かんぬきと開放して近接する開放端部と、を有する本体を備えている。上部封止部材及び下部封止部材を滑動体内において開放端部から閉鎖端部へ通過させる方向に滑動体を移動させた際に、滑動体が第１の合せ面を閉じ込めて第２の合せ面と接触させることにより封止体を形成する。
【００１０】
最初に、図１には封止装置１０の斜視図が示してある。封止装置１０は上部封止部材１２、下部封止部材１４、及び滑動体１６を備えている。封止装置１０は、上部封止部材１２及び下部封止部材１４の全長に渡って封止体１７を形成する。装置１０が非封止状態にあれば上部封止部材１２と下部封止部材１４との間に開口１８が存在し、封止体１７の内部の空間への出し入れが可能となる。
【００１１】
使用時には、滑動体１６を封止体１７の長さに沿って滑動させることにより封止体１７が形成され、これにより、滑動体１６が上部封止部材１２の合せ面２０を下部封止部材１４の合せ面２２と係止させる。このように本発明はジッパーに類似しており、本装置の使用者は装置１０をジッパーのように閉じることにより封止体を形成するのであり、装置１０をジッパーのように開くことにより封止体１７の内部への出し入れが可能となる。
【００１２】
次に、図２には上部封止部材１２及び下部封止部材１４の斜視図が、滑動体１６なしで示してある。図２から明らかなように、望むならば、上部封止部材１２を下部封止部材１４に対して反転しても良い。つまり、図１には、上部封止部材１２がページの右上部に延在しており、下部封止部材１４がページの左下部に延在していることが示してある。逆に、図２には、上部封止部材１２が逆方向、即ちページの右下部、に延在しても良く、下部封止部材１４が逆方向、即ちページの右上部、に延在しても良いことが示してある。したがって、封止装置１０の構成において、これが取付けられている物品の内部に対する出し入れが可能な方向が何れの方向であっても良い。言うまでもなく、封止体１７が充分に長い場合には、封止されていない上部封止部材１２を下部封止部材１４から離して、装置１０が取付けられている物品の内部へどんな方向からでも広範囲に出し入れできるようにしても良い。
【００１３】
次に、図３には、係止された上部封止部材１２及び下部封止部材１４の断面図が示してある。この図は、２つの係止した部材の構造の詳細を示している。上部封止部材１２は、好ましくは少なくとも１つの引上げ翼２４を備えており、図３に示したように２つ以上の引上げ翼２４を備えていても良い。より詳しくは、好適な実施例において、上部封止部材１２の一部分が、上部封止部材１２の主要輪郭部２５から突出する引上げ翼２４を備えている。引上げ翼２４は、したがって、以下に詳述するように、滑動体１６の引上げリブ４６を受容する部位として機能する引上げ翼溝２６をその直下に形成する。引上げ翼２４は様々な形状であっても良く、引上げ溝２６も同様に様々な形状であっても良い。図１及び図２で部位２８から始まって図示されているように引上げ翼２４を取除いた場合には、引上げ翼２４が存在しなことが滑動体１６の引上げリブ４６が上部封止部材１２に分離力を作用させることを防ぎ、したがって、滑動体１６が封止体１７の部位２８の始まりで封止体１７を分離することを防止する。したがって、封止体１７の端部分３０は、好ましくは、滑動体１６の長さより若干短い部分を備えており、そこでは、引上げ翼２４が上部封止部材１２に存在しない。使用時に、滑動体１６を封止体１７の端部分３０まで沿わせて引いた際に、滑動体１６の引上げリブ４６が引上げ翼溝２６から脱離して、滑動体１６の前端部での分離を防ぐ。この脱離によって、滑動体１６の前部にある封止体が封止状態に維持され、封止体１７を閉鎖するために滑動体１６が位置している端部分３０を含む封止体１７の全長に沿って封止体を形成する。
【００１４】
更に図３を参照すれば、滑動体１６の操作中に下部封止部材１４を安定化するための閉鎖かんぬき溝３２が設けられている。好適な実施例では、下部封止部材１４が閉鎖かんぬき溝３２を備えている。閉鎖かんぬき溝３２は、たとえば図６に示したように滑動体１６の閉鎖かんぬき４８を受容するように設計されている。閉鎖かんぬき溝３２は、以下に説明するように、異なった長さ及び形状であっても良い。更に、閉鎖かんぬき溝３２が、以下に説明するように、閉鎖かんぬき４８の末端部５２の端部形状５１に対応する端部形状３４を備えていても良い。
【００１５】
次に、図１から図３を参照すれば、上部封止部材１２の合せ面２０と下部封止部材１４の合せ面２２とが、機能中の封止体１７を形成する構造を構成する。より詳しくは、上部封止部材１２が、下部封止部材１４の合せ面２２と嵌合して封止体１７を形成する合せ面２０を備えている。合せ面２０及び２２の形状は、以下に述べるように、変更しても良い。使用時には合せ面２０が、対向する合せ面２２との係止位置となるように押し込まれて封止体１７を形成する。
【００１６】
図１及び図３を参照すれば、いくつかの例を挙げると、ウェットスーツ（湿式潜水服）、防水ズボン、雨具、水着、長靴等の様々な物体に封止体１７を組込むことができるように充分な寸法及び種類の材料を使用することが本発明の観点である。したがって、上部封止部材１２は、好ましくは、この物体上に封止体の一方の側を形成するために取り外せないように物体に取付けられても良いように充分な幅Ｗ１の長尺材を備えている。同様に、下部封止部材１４もまた、この物体に対する封止体の第２の側を形成するために取り外せないように物体に取付けられても良いように充分な幅Ｗ２の長尺材を備えている。上部封止部材１２及び下部封止部材１４は、係止して封止体を形成できる弾力性材料で形成されている。上部及び下部封止部材１２及び１４が同じ又は異なる材料で形成されていても良い。このような材料としては、ゴム、又は、ポリ塩化ビニル（ＰＶＣ：ｐｏｌｙ  ｖｉｎｙｌ  ｃｈｌｏｒｉｄｅ）や直線形低密度ポリエチレン（ＬＬＤＰＥ：ｌｉｎｅａｒ  ｌｏｗ  ｄｅｎｓｉｔｙ  ｐｏｌｙｅｔｈｙｌｅｎｅ）などの樹脂、が挙げられるが、これらに限らない。使用する材料によっては、図１に想像線で示したように、上部封止部材１２及び下部封止部材１４が、接着、熱融着、その他によって閉包物体Ｏの隣接する材料に結合されても良い。又は、本発明の封止体１７が、物体自体の製造中にこの物体と一体で形成されても良い。本発明の一観点では、上部及び下部封止部材が、たとえば上着前部などの製品の一部分として、隣接する材料表面に取付けられる。したがって、これらの材料表面が上着の左右の前側部となり、これらが実質的に第１の平面を画定する。上部及び下部封止部材の係止された第１及び第２の合せ面も、図６に示したような平面を実質的に画定する。本発明のこの観点では、これら２つの平面は実質的に平行である。
【００１７】
１つの装置１０を構成する際に様々な材料を使用して良いことは本発明の観点である。滑動体１６は、好ましくは、硬質樹脂、ゴム、セラミック、金属、合金、又はこれらの組合せであるがこれらには限らない比較的硬質の材料で形成されている。合せ面２０及び２２は、望むならば、多数の材料を含んで良い。たとえば、雄形状６０及び雌形状６２の各々が軟質ゴムなどの１つの材料で形成されても良く、上部封止部材１２及び下部封止部材１４の残りの部分が、柔軟ではあるがそれより幾分硬質の材料で製造されても良い。更に、合せ面２０及び２２を含む上部封止部材１２及び下部封止部材１４が金属又は硬質樹脂の挿入体を備えていても良く、ベルクロ（ｖｅｌｃｒｏ：商品名）などの鉤部材及び輪部材が更に装置１０に組込まれていても良い。更に、ゲル、ケイ素樹脂、ポリ四フッ化エチレン（ＰＴＦＥ：ｐｏｌｙｔｅｔｒａｆｌｕｏｒｏｅｔｈｙｌｅｎｅ）繊維、金属又はコイル状のジッパー部分、潤滑剤、及び／又は液状パッキンなどであるがこれらには限らないその他の様々な材料が、全て、本明細書に開示する発明の構成要素の１つ以上において、又はその上で、使用可能である。
【００１８】
本発明の封止を形成する装置は様々な用途と長所とを有する。一般に、この装置は、野外用の衣服や衣料、野外用の器具や容器、水着や海水浴器具、また、日常の衣類にも使用できる。この装置は、完全防水性が必要な製品において特に有用である。このような製品としては、危険物質防護服、消防服、乾式潜水服、防湿袋、露営寝袋、防水ズボン、宇宙服、テント、梱包、家庭用品保存袋、地図ケース、図面ケース、カヤック外張り、リュックサックカバー、コンピュータケース、電子機器ケース、水上輸送コンテナ、（カメラ用などの）空気膨張式容器、浮揚袋、浮揚器具、防水ポケット、釣り用ベストのポケット、（熊対策用などの）防臭ポケット、及びウェットスーツ（湿式潜水服）が挙げられるが、これらには限らない。本発明の装置は、また、防風性であることが必要であったり有利であったりする製品において特に有用である。このような製品としては、上着、寝袋、雨具、長靴、カヤック覆い、防風用上着、防風用毛織物、及びテントが挙げられるが、これらには限らない。防水性及び防風性であるという長所に加えて、本発明の装置は、気密性、耐水性、ガス気密性、防風性、静音性、引っ掛かったり詰まったりし難いこと、軽量性、非金属性（したがって、軽く、安価であり、冷たくない）、完全にリサイクル可能、動作が滑らか、生産が安価で容易などであるがこれらに限らないその他の長所を備えている。この装置は、また、ジッパーを覆う折返しが必要でなく、本質的にどんなジッパーの機能としても使用できるので、この装置を使用して数百もの新製品を製作できる。特に、このような新製品としては、簡単に脱げる防水ズボン、簡単に開けられる防湿袋、簡単に脱げる露営寝袋、容易に出し入れできるカヤック外張り、完全防水のロープ袋、完全防水ポケット、耐水／気密梱包、容易に脱着できる乾式潜水服、水中写真や映画用の日用カメラ袋、完全防水性及び完全機能性のリュックサック又はウエストポーチ、簡単に脱げる雨用ズボン、及び簡単に途中まで着られる雨用上着が挙げられる。
【００１９】
次に、図４には、上部封止部材１２及び下部封止部材１４と係合された滑動体１６の垂直側面図が示してある。滑動体１６は開放端部３６及び閉鎖端部３８を備えている。封止体輪郭１７に沿っていずれかの方向に引いた際に、この輪郭を通過する滑動体１６の末端部が封止体を開放又は閉鎖する。より詳しくは、開放端部３６は、上部封止部材１２を下部封止部材１４から分離する働きをする。したがって、封止体１７に沿って滑動体１６を引いた際に、閉鎖端部３８が開放端部３８に先行するように引いた場合には、これが封止体１７を開放する。逆に、滑動体１６の閉鎖端部３８は上部封止部材１２を閉じ込めて押圧し、下部封止部材１４との係止結合状態とする。したがって、封止体１７に沿って滑動体１６を引いた際に、開放端部３６が閉鎖端部３８に先行するように引いた場合には、これが封止体１７を閉鎖する。この開放及び閉鎖の機構では、上部封止部材を下部封止部材から引上げるために引上げリブによって引上げ翼に印加された力により、封止体が開放される。この機構は、封止体を形成する合せ面又は接触面に直接に力が印加される封止装置とは異なっている。
【００２０】
更に図４を参照すれば、引き手４０を引き手滑動軌道４４内に接続するピン４２を用いて、引き手４０が滑動体１６の上部に沿って取付けられていることが好ましい。引き手４０は引き手滑動軌道４４内で前後に滑動して滑動体１６にとってより効果的な牽引角度を確保し、より滑らかで容易に滑動体１６を操作できるようにする。
【００２１】
次に、図５では、引上げリブ４６が滑動体１６の開放端部３６に示してある。引上げリブ４６は、下部封止部材１４に対して相対的に上部封止部材１２を分離する力を印加する構造体を構成している。
【００２２】
次に、図６には、図５の６―６線に沿って作成した滑動体１６の閉鎖端部３８の垂直面図が示してある。図６は、滑動体１６の閉鎖端部３８における上部封止部材１２及び下部封止部材１４の配置を示している。閉鎖端部３８にあっては、閉鎖かんぬき４８が下部封止部材１４の閉鎖かんぬき溝３２内に嵌合して、下部封止部材１４の合せ面２２を滑動体１６の本体５０内に閉じ込める働きをする。滑動体１６の本体５０は、滑動体１６の閉鎖端部３８において、上部封止部材１２の合せ面２０が下部封止部材１４の合せ面２２と係止状態となるように押し込まれる態様で閉じ込められる。
【００２３】
図７には、滑動体１６の開放端部３６で見た滑動体１６の斜視図が示してある。これに対して、図８には、滑動体１６の閉鎖端部３８で見た滑動体１６の斜視図が示してある。滑動体１６の両側に設けてある引上げリブ４６が示してある。引上げリブ４６は、滑動体１６の側部の全体に沿って、又は、開放端部３６における滑動体１６の前半部に沿う等のその一部分のみに沿って、延在しても良いことに留意されたい。開放端部３６における引上げリブ４６と閉鎖かんぬき４８との間の距離は、滑動体１６の閉鎖端部３８における場合より有意に大きい。より詳しくは、図７に示した分離距離Ｓ１は、図８に示した分離距離Ｓ２より大きい。分離距離Ｓ１は、上部封止部材１２の合せ面２０を下部封止部材１４の合せ面２２から分離するのに充分なだけ大きい。前出の図５には、滑動体１６の開放端部３６における上部封止部材１２の下部封止部材１４からの分離が明瞭に示してある。これに対して、前出の図６には、上部封止部材１２が下部封止部材１４との係止位置にある状態での滑動体１６の閉鎖端部３８の配置が示してある。したがって、滑動体１６の開放端部３６と閉鎖端部３８との間の距離は遷移領域であり、これによって、上部封止部材１２が開放端部３６において下部封止部材１４から解放可能な状態で分離されたり、上部封止部材１２が閉鎖端部３８において下部封止部材１４と解放可能な状態で係止されたりする。
【００２４】
本発明の構成要素部分は無数の異なる構成を備え得る。ここで、図９ａから図９ｏには、滑動体１６の閉鎖端部３８における上部封止部材１２及び下部封止部材１４の断面図が示してある。図９ａには、閉鎖かんぬき４８が封止体輪郭の幅に比べて幾分か長くても良いことが示してある。図９ｂには、閉鎖かんぬき４８が中間的な長さである更に別の変形例が示してある。図９ｃには、比較的短い閉鎖かんぬき４８が示してあり、図９ｄでは、閉鎖かんぬき４８が本質的に突起状であり、側部の長さは無視し得るほどであるが、やはり下部封止部材１４内まで延在している。図９ａから図９ｄに示した構成では、下部封止部材１４にある閉鎖かんぬき溝３２は、対応する寸法の閉鎖かんぬき４８を受容するように製造されている。
【００２５】
次に、図９ｅでは、下部封止部材１４は、上部封止部材１２に対して異なる高さに構成されても良い。図９ｅには、下部封止部材１４が、上部封止部材１２の対応する表面と同じ高さまで上昇するように閉鎖かんぬき４８の周囲を取巻いて良いことが示してある。この変形例によれば、封止体１７の近くにおいて比較的高さの低いジッパー様の構成にできる。
【００２６】
次に、図９ｆでは、閉鎖かんぬき４８の末端部５２において様々な端部形状５１を用いて良い。又は、閉鎖かんぬき４８の長さに沿った何れかの点（図示しない）において単純な形状を用いて良い。図９ｆには、矢に類似した切落しの半円形を閉鎖かんぬき４８の末端部５２で端部形状５１として用いて良いことが示してある。したがって、図示していないが、末端部５２が、円形、三角形、長方形、矢じり形、逆トゲ形、及び多面体形を含むがこれらに限らない形状を有する端部形状５１を有して良いことに留意されたい。更に、図９ｇに示したように、閉鎖かんぬき４８の末端部５２が何れの種類の追加形状をも有していなくとも良い。この変形例は、閉鎖かんぬき４８が単純な突起形状より長い場合に特に適用可能であり、その場合には、単に合せ領域自体の下のその長さによって、輪郭の合せ領域に閉じ込め能力と支持とが付与される。
【００２７】
図９ｈには、上部封止部材１２の上部表面の周囲を取巻いていない変形例の滑動体１６形状が示してある。ここで、図９ｈの変形例の滑動体１６は、上部封止部材１２の合せ輪郭の上部表面４７内に突出する引上げリブ４６を備えている。更に、第２の引上げリブ４６が滑動体１６の側部に沿って位置している。この変形例の滑動体１６の最も上側の引上げリブ４６が形状４９を備えて、引上げリブ４６を引上げリブ溝２６内に固定することが有利である。引上げリブ４６及び対応する引上げリブ溝２６には様々な形状４９を用いて、滑動体１６の開放端部３６において引上げリブ４６が上部封止部材１２を下部封止部材１４から引出すように引上げリブ４６を上部封止部材１２の上部表面４７内に固定する機構を設けても良い。
【００２８】
図９ｉでは、単一の引上げリブ４６を有する滑動体１６が設けられている。より詳しくは、図９ｉに示したこの変形例の滑動体１６は、上部封止部材１２の合せ輪郭２０の上部表面４７内に突出する単一の引上げリブ４６を用いている。図９ｈに示した滑動体１６と同様に、図９ｉに示した滑動体１６は、この単一の引上げリブ４６の端部で形状４９を用いて、輪郭が滑動体１６の開放端部３６を通過する際に上部封止部材１２を下部封止部材１４から引出す構造体を形成している。
【００２９】
図９ｊには、上述の特徴の組合せを用いて滑動体／封止体の組合せを構成して良いことが示してある。ここで、図９ｊには、比較的長い閉鎖かんぬき４８と２つの引上げリブ４６とを有する滑動体１６が示してあり、第１の引上げリブ４６は滑動体１６上に位置しており、第２の引上げリブ４６は上部封止部材１２の主要輪郭部２５の上部表面４７に沿って位置している。更に、下部封止部材１４は滑動体１６の側部の周囲を取巻いて或る高さまで上昇し、下部封止部材１４の上部側部表面５３が上部封止部材１２の上部側部表面５５とほぼ同じ高さとなっている。
【００３０】
次に、図９ｋには、円筒形状を有する滑動体１６が示してある。この円筒形の滑動体１６は、閉鎖かんぬき４８と、上部封止部材１２の主要輪郭部２５の外側を取巻き引上げリブ４６の位置で終端している本体５０とを備えている。したがって、滑動体１６の形状は大幅に変化しても良く、その場合でも、封止体１７を開放及び閉鎖する機能を備えている。
【００３１】
次に、図９ｌでは、本発明の輪郭システムを補強するための挿入体５４が設けられている。より詳しくは、挿入体５４を下部封止部材１４内に設けることにより、複数の堅固化用挿入体５４が、本発明の封止体１７の部分に沿って離間されていても良い。この挿入体５４は、封止構造体を強化すると同時に、離間して配置されていることによって封止体が比較的柔軟に機能できるようにする。挿入体の離間した配置は米国特許第５，９９１，９８０号に開示されており、その内容の全体がこの参照により本明細書に組込まれる。
【００３２】
再び、図９ｌには、下部封止部材１４の全体的形状に沿って屈曲している挿入体５４が示してあり、この下部封止部材１４が閉鎖かんぬき溝３２を備えている。堅固化用挿入体５４は本明細書に開示した如何なる輪郭形状で使用しても良い。たとえば、図９ｍには、本質的に突起状の閉鎖かんぬき４８を有する滑動体１６が示してある。ここでは、挿入体５４は、上部封止部材１２の高さと整合するように上昇している下部封止部材１４の全体的輪郭に沿っている。同様に、図９ｎには、閉鎖かんぬき４８の末端部５２で半円形の端部形状５１を有する滑動体１６を備えた挿入体５４の使用が示してある。
【００３３】
次に、図９ｏでは、本発明の別の観点において、封止部材リブ５６を用いて封止体輪郭に追加の安定性を付与しても良い。より詳しくは、封止部材リブ５６は、下部封止部材１４から突出して上部封止部材１２及び下部封止部材１４の係止された主要輪郭部２５を支える構造体である。封止部材リブ５６は、係止された上部封止部材１２及び下部封止部材１４の主要輪郭部２５が下部封止部材１４に向かってずれたり回転したりすることを防止することを補助する働きをする。封止部材リブ５６のリブ端部５８が引上げリブ溝２６内に突出して追加の安定性を付与することが好ましい。封止部材リブ５６は、様々な形状に形成されても良く、堅固化用挿入体５４を備えていても良い。更に、封止リブ部材５６が、上部封止部材１２の輪郭部の少なくとも一部分に嵌合する（図示しない）ように構成されても良い。使用時には、滑動体１６の閉鎖かんぬき４８が閉鎖かんぬき溝３２を通過する際に、上部封止部材１２が下部封止部材１４と係止するまで、封止体輪郭領域から離れる方向に封止部材リブ５６を歪める。滑動体１６が輪郭の部分を通過した後には、封止部材リブ５６は、図９ｏに示したように、封止体輪郭を支える位置に戻る。
【００３４】
図３に示したように、上部封止部材１２の合せ面２０を下部封止部材１４の合せ面２２と係止的に接触する状態に押し込むことによって封止体が形成される。合せ面２０及び２２は、したがって、これら２つの表面が係止して封止体を形成できるようにする合せ形状である。各合せ面は、少なくとも１つ、又は複数の、互いに嵌合する雄形状６０及び雌形状６２で形成されている。次に、図１０には、様々な個別の雄の合せ形状６０が示してある。図１０に示したように、広範囲の雄形状６０が可能である。図１１には、図１２に示したように、雄形状６０と組合せて雄形状６０及び雌形状６２の係止された組合せ６４を形成できる雌形状６２の整合的な組合せが示してある。合せ面２０及び２２を形成する際に、各雄形状６０がこれに対応する雌形状６２と整合するという条件のもとで、雄形状６０及び雌形状６２の異なる組合せを用いて、１つの合せ面２０又は２２に複数の形状を形成しても良い。このように、雄形状６０及び雌形状６２の様々な組合せを用いて、合せ面２０及び２２の整合する唯一の（unique）組合せを構成しても良い。更に、合せ面２０及び２２が、１つ、２つ、３つ、又は実質的により多数の雄形状６０及び雌形状６２を備えていても良い。たとえば、装置１０が、数百又は数千の突起及び溝、即ち雄形状６０及び雌形状６２、を備えている合せ面２０及び２２が望ましい移植医療分野に適用されても良い。
【００３５】
次に、図１３では、様々な異なる複雑な形状を用いて雄形状６０を形成して良い。つまり、図１０に示した各雄形状６０に対して、追加の溝又は切欠き６４がこれらの雄形状６０に形成されても良い。図１４に示したように、切欠き６４を有する雄形状６０を使用する場合には、対応する雌形状６２が切欠き６４と嵌合するための突起６６を備えていることが好ましい。
【００３６】
使用して良い上述の形状に加えて、図１５に示したような形状追加体６８を雄形状６０に追加しても良い。同様に、図１６に示したように、形状追加体６８を備えた雌形状６２を設けても良い。使用する場合には、対向する合せ面２０又は２２が、適切な凹部又は切欠き（図示しない）を備えて形状追加体６８を収容する。
【００３７】
次に、図１７．１から図１７．１１では、望ましい場合に、雄形状６０の長さに沿って様々な形状７０を備えた合せ面２０及び２２を設けることが本発明の更なる観点である。例示のために、雄形状６０のみを示した。しかし、その長さに沿ったどこにでも単純形状７０を備えていて良い雄形状６０と嵌合させるには、対応する雌形状６２が用いられることが好ましいことに留意されたい。図１７．１には、雄形状６０の上部及び下部に位置する単純形状７０が示してあり、中間には形状が無い。示した単純形状７０は、雄形状６０の各側部における半円である。しかし、単純形状７０が、長方形や三角形などの如何なる形状を備えていても良いことに留意されたい。図１７．２には、その上部の両側部に２つの相異なる単純形状７０を有する雄形状６０が示してある。図１７．３には、雄形状６０の長さに沿って互いの上部に積重ねられた３つの単純形状７０が示してある。図１７．４から図１７．９には、使用して良い単純形状のその他のいくつかの可能な組合せが示してある。例示した以外の組合せも可能であり、本発明の範囲に含まれる。図１７．１０には、雄形状６０が屈曲しても良いことが示してある。更に、図１７．１１には、屈曲した雄形状６０が、その端部において等のその長さに沿って単純形状を備えていても良いことが示してある。要約すれば、雄形状６０が切欠き６４、追加形状６８、単純形状７０、及び／又は屈曲した部材を備えて合せ面２０及び２２を形成しても良い。雌形状６２は雄形状６０と嵌合し、雄形状６０と嵌合するために必要となるような突起６６などの適切な形状を備えていることが好ましい。
【００３８】
図１８ａ及び図１８ｂには、上部封止部材１２及び下部封止部材１４が、それらの合せ面２０及び２２のそれぞれに沿って一定でない高さの雄形状６０を備えていることが示してある。好適な実施例では、単一の合せ面がそれ自体と嵌合するよう設計されている。より詳しくは、図１８ｃに示したように、単一の輪郭部が製造され、切欠きされ、反転されて、それ自体と嵌合して封止体を形成する。ここでは、この単一の輪郭が上部封止部材１２及び下部封止部材１４の両方として機能する。
【００３９】
次に、図１９から図２０には第１の実施例の変形例が示してあり、変形例の滑動体１６’が上部封止部材１２及び下部封止部材１４と組合せて使用され、封止体１７が形成されている。滑動体１６’は閉鎖部７２及び開放部７４を備えている。滑動体１６と同様に、滑動体１６’が封止体１７の長さに沿って移動して封止体１７を閉鎖又は開放する。使用時には、滑動体１６’が封止体輪郭に沿って移動する際に閉鎖部７２がその通過した封止体部分を閉鎖する。これに対し、滑動体１６’が逆方向に移動した際には開放部７４がその通過した封止体部分を開放する。
【００４０】
封止体１７の閉鎖は、閉鎖端部７２において、上部封止部材１２が下部封止部材１４と閉込め状態に置かれることにより上部封止部材１２の合せ面２０を下部封止部材１４の合せ面２２内に押圧することにより起る。より詳しくは、滑動体１６’の上部傾斜部７６によって上部封止部材１２の合せ面２０が下部封止部材１４の合せ面２２に押圧されることによって起る。この作用が起る時、下部封止部材１４が滑動体１６’の閉鎖かんぬき４８によって所定位置に保持される。
【００４１】
傾斜部７６が水平な内部表面７８を備えていても良い。しかし、傾斜部７６は傾斜されていること、即ち水平面に対して下向き角度αに設定されていることが好ましい。この下向き角度αは、合せ面２０が下部封止部材１４の合せ面２２内に押圧された際に上部封止部材１２を回動させる働きをする。上部封止部材１２のこの回動は、滑動体１６’が封止体１７を閉鎖又は開放する際にこれがより自由に移動できるよう補助する。更に、上部封止部材１２の回動は、雄形状６０を雌形状６２内に回動させてそれらのそれぞれの表面の接触を向上させることにより、閉鎖状態における封止体の気密性及び防水性を向上させる。滑動体１６’を用いて封止される合せ面２０及び２２と組合せて使用される雄形状６０及び雌形状６２は、切欠き６４、突起６６、追加形状６８、単純形状７０、及び、合せ面２０及び２２及びそれらの構成要素構造体に関して既に説明したその他の全ての特徴を備えていても良い。
【００４２】
次に、図２０では、上部傾斜部７６と上部封止部材１２との間の摩擦を減少させるための一連の部分的円筒形状８０が設けられている。より詳しくは、上部傾斜部７６の内部表面７８が、上部封止部材１２の主要輪郭部２５の上部表面４７に接触する一連の部分的円筒形状８０を備えていることが望ましい。これらの円筒形状８０は、上部封止部材１２が上部傾斜部７６と接触する際に上部傾斜部７６と上部封止部材１２との間の摩擦を減少させる働きをする。部分的円筒形状８０は、また、滑動体１６’の閉鎖部７２において閉鎖かんぬき４８の少なくとも一部分に沿って使用されることが好ましい。閉鎖かんぬき４８の内部表面８２に沿う部分的円筒形状８０は、閉鎖かんぬき４８と下部封止部材１４との間の摩擦を減少させる。
【００４３】
滑動体１６’は、閉鎖かんぬき４８を用いて下部封止部材１４の位置を安定化させ、制御する。滑動体１６’と組合せて使用される閉鎖かんぬき４８の観点は上述の全ての組合せを包含する。閉鎖かんぬき４８は、図９ａに示したものと同様に比較的長くても良く、又は、図９ｄに示したように非常に短くて突起のような外観をしていても良いが、これらに限らない。これが、端部形状５１を備えて、下部封止部材１４を握持することを補助しても良い。このことは、比較的短い、又は突起状の、閉鎖かんぬき４８を用いる場合に特に有用である。その形状に拘わらず、滑動体１６の場合と同様に、閉鎖かんぬき４８は滑動体１６’内の下部部材１４の位置を制御する働きをする。
【００４４】
再び、図１９及び図２０では、滑動体１６’の開放部７４は、上部封止部材１２を下部封止部材１４から分離して封止体１７を開放する働きをする。開放部７４が１つの引上げリブ４６’を備えていることが好ましい。引上げリブ４６’は、滑動体１６’の開放部７４において、滑動体１６’のほぼ中間から滑動体１６’の端部にかけて傾斜した位置で延在していることが好ましい。開放部７４は、また、滑動体１６’の底部の全長に渡って延在することが好ましい閉鎖かんぬき４８を備えている。閉鎖かんぬき４８は下部封止部材４４を滑動体１６’の底部に固定する。図１９の矢印８４に従って滑動体１６’が開放方向に移動する際には、上部封止部材１２に対する引上げリブ４６’の作用と下部封止部材１４に対する閉鎖かんぬき４８の作用とが組合さって、２つの封止部材１２及び１４を引離して封止体１７を開放する。滑動体１６’における１つの引上げリブ４６’の好適な使用によって、上部封止部材１２が下部封止部材１４から分離される際にこれに回動運動が付与される。この回動は、引上げリブ４６’に隣接する主要輪郭部２５の側部が、引上げリブ４６’に対向する主要輪郭部２５の側部より先に引上げられることによって起る。この回動という特徴によれば、開放する際に上部封止部材１２と下部封止部材１４との間に誘起される摩擦が小さくなるので、上部封止部材１２が下部封止部材１４から滑らかに分離され、また、封止性能をより長持ちさせる傾向がある。図２０に示したように、引上げリブ４６’がレールのような形状を有しても良く、又は、くさび形であっても良い。
【００４５】
次に、図２１には、上部封止部材１２及び下部封止部材１４を備えた封止体１７の例が示してある。引上げ溝２６が、上部封止部材１２の主要輪郭部２５の端部において引上げ翼２４の下に形成されている。引上げ溝２６は滑動体１６’の引上げリブ４６’を受容する。図２１には下部封止部材１４内の閉鎖かんぬき溝３２も示してある。
【００４６】
図９ａから図９ｏに示した様々な封止体構成は滑動体１６’と共に使用できる。より詳しくは、閉鎖かんぬき４８の特性や輪郭合せ面２０及び２２などの上述の特徴に加えて、滑動体１６’が図２１に示した別の構成及び特徴を用いても良い。たとえば、滑動体１６’が単一の上部取付け引上げリブ（図９ｉ参照）又は側部及び上部取付け引上げリブ（図９ｊ参照）を備えていても良い。主要輪郭部２５の向こうにある上部封止部材１２の部分が下部封止部材１４と同じ高さにあっても、又は異なる高さにあっても良い。滑動体１６’を用いる際には、下部封止部材１４に堅固化用挿入体５４を使用しても良い。
【００４７】
次に、図２２及び図２３では、封止体１７の端部分３０において上部封止部材１２から引上げ翼２４を切り離すことにより、引上げリブ４６’が上部封止部材１２を下部封止部材１４から分離することを防止する。引上げ翼２４がないので、滑動体１６’の開放部７４は上部封止部材１２の下側を握持してこれを下部封止部材１４から分離させることができない。本発明のこの観点によれば、上部封止部材１２の全長が下部封止部材１４と共に流体障壁を形成するので閉包体上に封止体１７が形成される。
【００４８】
図２４には、滑動体１６’の前面、即ち開放部７４、に向かって見た滑動体１６’の垂直面図が示してある。この図には、滑動体１６’の中間から滑動体１６’の前端部にかけて或る角度で前面において上昇している引上げリブ４６’も示してある。溝８８が滑動体１６’に形成されており、封止体１７を開放する際に下部封止部材１４を保持することを補助することが好ましい。
【００４９】
次に、図２５には滑動体１６’の後部垂直面図が示してある。この図には閉鎖部７２に向かって見た滑動体１６’が示してある。再び、滑動体１６’の上部に向かって上昇する引上げリブ４６’が示してある。
【００５０】
図２６には、図２５に示したものと同じ後部垂直面図が示してあるが、しかし、滑動体１６’内に配置された上部封止部材１２及び下部封止部材１４を伴っている。この図には、引上げリブ４６’の上に配置された上部封止部材１２の引上げ翼２４も示してある。閉鎖かんぬき４８が滑動体１６’内で下部封止部材１４を固定し、更に、滑動体１６’の閉鎖端部３８において傾斜部７６と協働して閉じ込めを行って上部封止部材１２の合せ面２０を下部封止部材１４の合せ面２２との係止位置まで押圧する。上部封止部材１２が滑動体の前端部において開放される際に滑動体１６’の背面で上昇している上部封止部材１２の上部表面９０が示してある。
【００５１】
図２６に対比させて、図２７には、上部封止部材１２及び下部封止部材１４を備えた滑動体１６’の前面垂直面図が示してある。ここには、滑動体１６’の開放部７４の機能が示してある。上部封止部材１２が滑動体１６’の開放端部３６において下部封止部材１４から引離されており、上部封止部材１２の底部表面９２が露出している。
【００５２】
《実施の形態２》
更なる実施例において、本発明は、物体の第１の表面の第１の縁部をこの物体の第２の表面の第２の縁部で封止する装置であって、第１の縁部は第２の縁部と実質的に平行な向きにあり、第１及び第２の表面は実質的に共平面を成しており、第１の表面は第２の表面と反対の方向に延在している装置を含む。この装置は、上部封止部材、下部封止部材、滑動体、及び栓体を備えている。上部封止部材は第１の縁部に取付けてあり、第１の合せ面を備えている。下部封止部材は第２の縁部に取付けてあり、第２の合せ面を備えている。第２の合せ面及び第１の合せ面は解放可能な態様で係止される。滑動体は本体、滑動体内部構造体、及び外部さねつぎ及び溝部を備えている。本体は開放端部及び閉鎖端部を備えており、閉鎖端部は、上部封止部材の第１の合せ面を下部封止部材の第２の合せ面との係止的接触状態に置く閉じ込め部を備えている。滑動体内部構造体は上部封止部材の第１の合せ面と協働し、また、下部封止部材の第２の合せ面と協働する。栓体は栓体内部構造体及び外部さねつぎ及び溝部を備えている。栓体内部構造体は上部封止部材の第１の合せ面と協働し、また、下部封止部材の第２の合せ面と協働する。閉鎖位置では、栓体内部構造体が滑動体内部構造体と係止し、栓体の外部さねつぎ及び溝部が滑動体のさねつぎ及び溝部と係止する。滑動体が、上部封止部材及び下部封止部材を滑動体内で開放端部から閉鎖端部に移動させる方向に移動する際には、滑動体が第１の合せ面を第２の合せ面との接触状態に閉じ込めて封止体を形成する。
【００５３】
図２８から図３１には封止装置１００の本実施例が示してある。封止装置１００は、上部封止部材１２、下部封止部材１４、滑動体１０２、及び栓体１０４を備えている。滑動体１０２は引き手４０、ピン４２、及び引き手軌道４４を備えている。係止されても良い封止装置１００を設けることは本実施例の観点である。したがって、引き手４０は、滑動体１０２が閉鎖位置にある際に栓体１０４の係止受容体１０８を受容する開口１０６を備えていることが好ましい。より詳しくは、栓体１０４は、封止体１７の端部に取付けられた恒久的な止め具である。封止体１７を閉鎖するには、滑動体１０２を上部封止部材１２及び下部封止部材１４の封止体輪郭１７に沿ってジッパーのように移動させて上部封止部材１２の合せ面２０を下部封止部材１４の合せ面２２と係止させる。滑動体１０２は、次いで、以下に詳述するように栓体１０４との嵌合閉鎖位置１１０に移される。次いで、係止受容体１０８が引き手４０の開口１０６を通過するように引き手４０を前方位置に置くことにより、引き手４０が栓体１０４の係止受容体１０８に固定される。係止受容体１０８は一般の旅行用錠前（図示しない）を受容する寸法の孔１１２を備えている。
【００５４】
再び、図２８及び図２９には、封止体１００の２つの斜視図が示してある。図２８及び図２９では、栓体１０４との閉鎖位置１１０にある滑動体１０２が示してあるが、これにより、滑動体１０２と栓体１０４とが封止体輪郭１１０の端部で封止体１７を形成している。
【００５５】
図３０には、図２８の３０―３０線に沿って上部封止部材１２の側部で作成した封止装置１００の断面図が示してある。図３０では、滑動体１０２が栓体１０４との閉鎖位置１１０にある際の上部封止部材１２及び下部封止部材１４の配置が示してある。ここでは、滑動体１０２及び栓体１０４によって占拠された領域内で分離されている上部封止部材１２及び下部封止部材１４が示してある。ここでは、以下に説明するように、上部封止部材１２及び下部封止部材１４は滑動体１０２及び栓体１０４の内部構造体と共に、液体及び蒸気に対する障壁を形成している。
【００５６】
図３１には、図２９の３１―３１線に沿って下部封止部材１４の側部で作成した封止装置１００の断面図が示してある。即ち、図３１には、図３０に示した断面図との比較として、滑動体１０２／栓体１０４の結合体の反対側が示してある。図３１では、滑動体１０２及び栓体１０４によって占拠された領域において上部封止部材１２から分離されている下部封止部材１４が示してある。
【００５７】
次に、図３２には、栓体１０４及び滑動体１０２の外部及び内部合せ構造体が示してある。より詳しくは、栓体１０４は、滑動体１０２及び栓体１０４をそれらの閉鎖位置１１０に設定した際に滑動体１０２の外部さねつぎ及び溝部１１６と結合する外部さねつぎ及び溝部１１４を備えている。即ち、滑動体１０２及び栓体１０４は、矢印Ａに従って滑動体１０２を栓体１０４に挿入することにより係止される。更に、栓体１０４の内部構造体１１８は、上部封止部材１２の合せ面２０及び下部封止部材１４と協働して係止する形状を備えている。同様に、滑動体１０２の内部構造体１２０は、下部封止部材１０４の合せ面２２と協働して係止する形状を備えている。更に、栓体１０４の内部構造体１１８は滑動体１０２の内部構造体１２０と係止する。滑動体１０２及び栓体１０４がそれらの閉鎖位置１１０にある際には封止体が形成されるが、これは、（１）上部封止部材１２の合せ面２０が栓体１０４の内部構造体１１８の上部１２２と液体封止体を形成し、また、滑動体１０２の内部構造体１２０の上部１２４と液体封止体を形成するからであり、また、（２）下部封止部材１４の合せ面２２が栓体１０４の内部構造体１１８の底部１２６と液体封止体を形成し、また、滑動体１０２の内部構造体１２０の底部１２８と液体封止体を形成するからである。
【００５８】
図３１から図３２では、上部封止部材１２と下部封止部材１４との摩擦を減少させるための閉包体凸部１２７が設けられている。より詳しくは、閉包体凸部１２７は好ましくは円筒形であり、滑動体１０２を封止体１７の長さに沿って移動させる際に滑動体１０２と上部封止部材１２及び下部封止部材１４との間の摩擦を減少されるのであるが、これは、滑動体１０２を移動させる際に封止部材１２及び１４が閉包体凸部に接線で接触するのみだからである。
【００５９】
次に、図３３には滑動体１０２及び栓体１０４の上面平面図が示してある。この図では、滑動体１０２が栓体１０４との閉鎖位置１１０に置かれた際に滑動体１０２の外部さねつぎ及び溝部１１６と結合する栓体１０４の外部さねつぎ及び溝部１１４が示してある。
【００６０】
次に、図３４には滑動体１０２の内部構造体１２０が正面垂直面図として示してある。この図では、滑動体１０２の内部構造体１２０が上部封止部材１２及び下部封止部材１４の合せ面２０及び２２とそれぞれ係止するように形成されていることが示してある。更に、内部構造体１２０の各支柱１３０は、支柱１３０の雄部分が上部封止部材１２の合せ面２０の雌形状６２及び下部封止部材１４の合せ面２２の雌部分６２を捕捉できるようにする角度θで配置されている。本発明のこの観点によれば、滑動体１０２の内部構造体１２０に対してより大きな安定性と強度とが付与される。
【００６１】
封止体１００は一定でない高さの輪郭合せ形状を組合せて使用することが好ましい。即ち、上部封止部材１２及び下部封止部材１４の合せ面２０及び２２の雄形状６０及び雌形状６２が様々な高さに構成されることが好ましい。たとえば、図１８ｃに示した合せ輪郭形状は、上部封止部材１２及び下部封止部材１４が滑動体１０２の閉鎖端部３８において共に閉鎖された際に、封止装置１００と共に用いて防水及び気密を行うための好適な輪郭である。
【００６２】
「ａ」又は「ａｎ」（不定冠詞）を付した項目（日本語訳文においては数量指定なしの項目）は、１つ以上のその項目を意味することに留意されたい。したがって、本明細書では、「ａ」（又は「ａｎ」）、「１つ以上」、及び「少なくとも１つ」の各用語  は互換的に使用できる。また、「備える」、「含む」、「有する」の各用語が互換的に使用できることに留意されたい。
【００６３】
以上の説明及び図面において多数の異なる実施例を開示し例示しているが、本発明がこれらの実施例に限らないことに留意されたい。当業者ならば、本発明の原理を用いて、特に上述の開示を考察することにより、その他の変形例やその他の実施例を考案し得る。したがって、添付した請求範囲おいて、本願出願人は如何なる変形例やその他の実施例をも包含する意図を有する。
【図面の簡単な説明】
【００６４】
本発明の理解を助けるためにいくつかの図面を作成する。以下に述べるのは、本発明及びその様々な実施例を例示する図面の簡単な説明である。
【図１】図１は、本発明の防水封止装置の第１の実施例の斜視図である。
【図２】図２は、本発明の上部封止部材及び下部封止部材の第１の実施例の斜視図である。
【図３】図３は、図２の３―３線に沿って作成した上部及び下部封止部材の断面図である。
【図４】図４は、上部及び下部封止部材内の滑動体構成要素を示す本発明の好適な実施例の垂直側面図である。
【図５】図５は、図４に示した構成の斜視図である。
【図６】図６は、図５の６―６線に沿って作成した滑動体の閉鎖端部の垂直面図である。
【図７】図７は、開放端部で見た滑動体構成要素の好適な実施例の斜視図である。
【図８】図８は、閉鎖端部で見た滑動体構成要素の好適な実施例の斜視図である。
【図９ａ】図９ａは、滑動体が長い閉鎖かんぬきを備えている封止体輪郭の断面図である。
【図９ｂ】図９ｂは、滑動体が中間的な長さの閉鎖かんぬきを備えている封止体輪郭の断面図である。
【図９ｃ】図９ｃは、滑動体が短い閉鎖かんぬきを備えている封止体輪郭の断面図である。
【図９ｄ】図９ｄは、滑動体が突起状の閉鎖かんぬきを備えている封止体輪郭の断面図である。
【図９ｅ】図９ｅは、封止部材を同じ高さに備え、突起状の閉鎖かんぬきを滑動体が備えている封止体輪郭の断面図である。
【図９ｆ】図９ｆは、別の端部形状を有する突起状の閉鎖かんぬきを滑動体が備えている封止体輪郭の断面図である。
【図９ｇ】図９ｇは、端部形状を有しない中間的な長さの閉鎖かんぬきを滑動体が備えている封止体輪郭の断面図である。
【図９ｈ】図９ｈは、上部及び側部に取付けた引上げリブを滑動体が備えている封止体輪郭の断面図である。
【図９ｉ】図９ｉは、上部に取付けた引上げリブを滑動体が備えている封止体輪郭の断面図である。
【図９ｊ】図９ｊは、封止部材を同じ高さに備え、上部に取付けた引上げリブを滑動体が備えている封止体輪郭の断面図である。
【図９ｋ】図９ｋは、滑動体が円筒形である封止体輪郭の断面図である。
【図９ｌ】図９ｌは、鈎状の堅固化用挿入体を備えている封止体輪郭の断面図である。
【図９ｍ】図９ｍは、同じ高さにある封止部材中に配置するために変更された屈曲した堅固化用挿入体を備えている封止体輪郭の断面図である。
【図９ｎ】図９ｎは、ほぼ平たい堅固化用挿入体を備えている封止体輪郭の断面図である。
【図９ｏ】図９ｏは、下部封止部材に取付けられた安定化リブを備えている封止体輪郭の断面図である。
【図１０】図１０は、雄の合せ面部材として可能な形状のいくつかを示す断面図である。
【図１１】図１１は、図１０に示したものに対応する雌の合せ面部材を示す断面図である。
【図１２】図１２は、図１０及び図１１に示した雄及び雌の合せ面部材を組合せたものを示す断面図である。
【図１３】図１３は、雄の合せ面部材として利用可能な様々な切欠きパタンを示す断面図である。
【図１４】図１４は、図１３に示したものに対応する雌の合せ面部材を示す断面図である。
【図１５】図１５は、雄の合せ面部材に追加しても良いいくつかの追加形状パタンを示す断面図である。
【図１６】図１６は、雌の合せ面部材に追加しても良いいくつかの追加形状パタンを示す断面図である。
【図１７．１−１７．１１】図１７．１から図１７．１１は、合せ面部材を作成するために追加しても良いいくつかの単純な形状パタンを示す断面図である。
【図１８ａ】図１８ａは、正確に同じ形状の下部封止部材と係止されても良い上部封止部材を示す。
【図１８ｂ】図１８ｂは、図１８ａに示した封止部材と係止されても良い下部封止部材を示す。
【図１８ｃ】図１８ｃは、図１８ａ及び図１８ｂに示した封止部材を用いて形成された封止体である。
【図１９】図１９は、第１の実施例の変形例の封止装置の斜視図である。
【図２０】図２０は、図１９に示した変形例の滑動体の斜視図である。
【図２１】図２１は、図２０に示した滑動体と組合せて使用して良い１つの可能な封止体輪郭の斜視図である。
【図２２】図２２は、滑動体が封止体輪郭の端部近傍にある、図１９の変形例の封止装置の斜視図である。
【図２３】図２３は、切欠いた引上げ翼を示す封止体輪郭の端部の斜視図である。
【図２４】図２４は、図２０の変形例の滑動体を、滑動体の開放部に向かって見た垂直面図である。
【図２５】図２５は、図２０の変形例の滑動体を、滑動体の閉鎖部に向かって見た垂直面図である。
【図２６】図２６は、上部及び下部封止体輪郭を有する図２０の変形例の滑動体を、滑動体の閉鎖部に向かって見た垂直面図である。
【図２７】図２７は、上部及び下部封止体輪郭を有する図２０の変形例の滑動体を、滑動体の開放部に向かって見た垂直面図である。
【図２８】図２８は、本発明の第２の実施例の斜視図である。
【図２９】図２９は、本発明の第２の実施例の別の斜視図である。
【図３０】図３０は、図２８の３０―３０線に沿って作成した断面図である。
【図３１】図３１は、図２９の３１―３１線に沿って作成した断面図である。
【図３２】図３２は、第２の実施例の栓体及び滑動体の斜視図である。
【図３３】図３３は、図３２に示した栓体及び滑動体の平面図である。
【図３４】図３４は、図３２に示した滑動体の垂直正面図である。  以下の開示では実施例に関連づけて本発明を説明するが、本発明がこれらの実施例に厳密に制限されるのではないことを理解されたい。更に、図面は必ずしも縮尺通りではなく、また、ある場合には、製造や組立の通常の詳細など、本発明を理解するためには必要でない詳細をこの開示に含めないことがあることを理解されたい。
【符号の説明】
【００６５】
１０、１００  封止装置
１２  上部封止部材
１４  下部封止部材
１６、１６’、１０２  滑働体
１７  封止体
２０  上部封止部材の合せ面
２２  下部封し部材の合せ面
２４  引き上げ翼
２５  主要輪郭部
２６  引き上げ翼溝
３２  閉鎖かんぬき溝
３６  滑働体の開放端部
３８  滑働体の閉鎖端部
４０  引き手
４２  ピン
４４  引き手滑働軌道
４６、４６’  引き上げリブ
４８  閉鎖かんぬき
５０  滑働体本体
５１  閉鎖かんぬきの末端部の端部形状
５２  閉鎖かんぬきの末端部
５４  挿入体
６０  雄形状
６２  雌形状
７２  滑働体１６’の閉鎖部
７４  滑働体１６’の開放部
７６  上部傾斜部
８０  部分的円筒形状
８８  滑働体１６’内の溝
１０４  栓体
１０６  引き手の開口
１０８  係止受容体
１１０  滑働体１０２と栓体１０４の閉鎖位置
１１４  滑働体１０２の外部さねはぎ及び溝
１１６  栓体１０４の外部さねはぎ及び溝
１１８  栓体の内部構造体
１２０  滑働体の内部構造体
１２７  閉包体凸部
【図１】
2005514077.tif 000003
【図２】
2005514077.tif 000004
【図３】
2005514077.tif 000005
【図４】
2005514077.tif 000006
【図５】
2005514077.tif 000007
【図６】
2005514077.tif 000008
【図７】
2005514077.tif 000009
【図８】
2005514077.tif 000010
【図９ａ】
2005514077.tif 000011
【図９ｂ】
2005514077.tif 000012
【図９ｃ】
2005514077.tif 000013
【図９ｄ】
2005514077.tif 000014
【図９ｅ】
2005514077.tif 000015
【図９ｆ】
2005514077.tif 000016
【図９ｇ】
2005514077.tif 000017
【図９ｈ】
2005514077.tif 000018
【図９ｉ】
2005514077.tif 000019
【図９ｊ】
2005514077.tif 000020
【図９ｋ】
2005514077.tif 000021
【図９ｌ】
2005514077.tif 000022
【図９ｍ】
2005514077.tif 000023
【図９ｎ】
2005514077.tif 000024
【図９ｏ】
2005514077.tif 000025
【図１０】
2005514077.tif 000026
【図１１】
2005514077.tif 000027
【図１２】
2005514077.tif 000028
【図１３】
2005514077.tif 000029
【図１４】
2005514077.tif 000030
【図１５】
2005514077.tif 000031
【図１６】
2005514077.tif 000032
【図１７．１−１７．１１】
2005514077.tif 000033
【図１８ａ】
2005514077.tif 000034
【図１８ｂ】
2005514077.tif 000035
【図１８ｃ】
2005514077.tif 000036
【図１９】
2005514077.tif 000037
【図２０】
2005514077.tif 000038
【図２１】
2005514077.tif 000039
【図２２】
2005514077.tif 000040
【図２３】
2005514077.tif 000041
【図２４】
2005514077.tif 000042
【図２５】
2005514077.tif 000043
【図２６】
2005514077.tif 000044
【図２７】
2005514077.tif 000045
【図２８】
2005514077.tif 000046
【図２９】
2005514077.tif 000047
【図３０】
2005514077.tif 000048
【図３１】
2005514077.tif 000049
【図３２】
2005514077.tif 000050
【図３３】
2005514077.tif 000051
【図３４】
2005514077.tif 000052
【国際調査報告】
2005514077.tif 000053
2005514077.tif 000054